(57)【要約】【課題】本発明は、同時に少なくとも二種類以上の内容物を含む混合剤を均等に注射することができ、しかも、前記内容物を空気にさらすことがなく、回転させることで簡単に注射方向を高精度に制御することが可能であり、大きいパワーをもち、製品の歩留まりが高い、組み立てが簡単、生産コストが低い、製品のメンテナンスが便利といった特性をもつ注射装置を提供する。【解決手段】本発明は、銃型ケースと、針管方向制御メカニズムと、加圧プッシュメカニズムと、定量制御メカニズムと、針筒位置決めメカニズム或いは位置決めリングとによって構成する。【選択図】図２
2011240130.tif 000002
【特許請求の範囲】
【請求項１】
銃型ケースと、針管方向制御メカニズムと、加圧プッシュメカニズムと、定量制御メカニズムと、によって構成する注射装置であって、前記銃型ケースは、手で握って操作するための握り部を備え、前記針管方向制御メカニズムは、前記銃型ケースの前端に設けられるとともに、前方中空止め輪と、後方中空止め輪と、中空係合カバーと、回転部材と、押筒とによって構成し、前記中空係合カバーは、前方中空止め輪と後方中空止め輪の間に配置されるとともに、少なくとも一つの球体を備え、前記回転部材は、前記中空係合カバーに被せて設けられ、前記押筒は、前記中空係合カバーと前記回転部材の間の隙間に配置され、前記隙間の前端には第一バネが設けられ、前記加圧プッシュメカニズムは、銃型ケース内に設けられるとともに、引き金と、牽引部材と、前方位置決め部材と、後方位置決め部材と、押棒と、係止板と、取り外し部材と、押し板とによって構成し、前記押棒は、前記前方位置決め部材と、前記牽引部材と、前記後方位置決め部材と、前記係止板とに順番に穿設され、前記押棒の後端は、前記押し板の下端に固定され、前記引き金は、枢軸を介して銃型ケース内に枢設されるとともに、前記引き金の上端は前記牽引部材に枢設され、前記牽引部材と、前記前方位置決め部材の間には、第二バネが設けられ、前記牽引部材は、前記後方位置決め部材に係止し、前記後方位置決め部材と前記係止板の間には第三バネが設けられ、前記係止板は、作用力が均衡した状態で傾斜して前記押棒に係止するとともに、前記第三バネと前記取り外し部材と第一固定柱に接触し、前記引き金は抑え部を備え、前記抑え部と前記押し板の上端は前記銃型ケースの外に露出し、前記定量制御メカニズムは、前記銃型ケース内に設けられるとともに、不規則凸ブロックと、凸ブロック位置決め部材と、投薬量つまみとによって構成し、前記投薬量つまみは、同時制御軸を介して前記不規則凸ブロックに枢設されるとともに、前記銃型ケース外に設けられ、前記不規則凸ブロックは、前記引き金と前記凸ブロック位置決め部材の間に設けられることを特徴とする、注射装置。
【請求項２】
前記銃型ケースは、左側ケースと、右側ケースとによって構成し、前記回転部材の外表面には複数の溝部が設けられ、前記前方中空止め輪と後方中空止め輪の間には台座が設けられ、前記台座は、銃型ケースに固定されるとともに、少なくとも一つの球体を備え、前記台座の球体は、対応する回転部材外表面の溝部に係止することを特徴とする、請求項１に記載の注射装置。
【請求項３】
前記針管方向制御メカニズムは中空構造の針管を備え、前記針管の前端には針管開口部が設けられ、前記針管の後端には環状溝を備える連結ヘッドが設けられ、針管方向制御メカニズムの後端には、針筒位置決めメカニズム、或いは、位置決めリングが接合され、前記針筒位置決めメカニズムは、銃型ケースに固定されるとともに、少なくとも二つの針筒配置口を備え、少なくとも一つの針筒の開口は前記針筒配置口内に接合され、前記押し板は前記針筒のピストンに当接し、前記位置決めリングは、針筒の注射方向を安定させるために、銃型ケースに固定されることを特徴とする、請求項１に記載の注射装置。
【請求項４】
前記加圧プッシュメカニズムの引き金の枢軸にはリセットバネが設けられ、取り外し部材は、前記銃型ケースに可動に設けられるとともに、錐状部を備え、錐状部は前記係止板に接触することを特徴とする、請求項１に記載の注射装置。
【請求項５】
前記凸ブロック位置決め部材は、位置決めバネと第二固定柱に連結することにより、前記不規則凸ブロックの一辺縁に当接することを特徴とする、請求項１に記載の注射装置。
【発明の詳細な説明】
【技術分野】
【０００１】
本発明は注射装置（Ｉｎｊｅｃｔｉｏｎ  Ｄｅｖｉｃｅ）に関し、特に高精度の方向調整ができるとともに、均等に注射を行え、且つ組み立てが簡単な注射装置に関するものである。
【背景技術】
【０００２】
自己脂肪移植（Ａｕｔｏｌｏｇｏｕｓ  ｆａｔ  ｇｒａｆｔ）の方法を用い、軟組織充填物によって、凹んだ傷跡を埋める（或いは平らにする）、皺を改善する、顔の輪郭を若くする、唇や鼻の外形を強化するといった技術は、１８９３年にドクターＮｅ▲ｕ▼ｂｅｒが正式に文献で発表して以来、既に百年以上の歴史がある。長い間、脂肪移植は、軟組織移植や軟組織充填の優れた手術方法であると考えられており、再建手術（Ｒｅｃｏｎｓｔｒｕｃｔｉｖｅ  ｓｕｒｇｅｒｙ）や美容手術（Ｃｏｓｍｅｔｉｃ  ｓｕｒｇｅｒｙ）によく用いられる。
【０００３】
脂肪移植手術成功の条件は、脂肪の採取（ｈａｒｖｅｓｔｉｎｇ）、注射前の脂肪の製造過程（ｐｒｏｃｅｓｓｉｎｇ）と精製（ｒｅｆｉｎｅｍｅｎｔ）、及び、脂肪の移植（ｔｒａｎｓｐｌａｎｔａｔｉｏｎ）のいずれとも関係がある。以上の各点に関して、世界の多くの権威ある医師達は様々な論述を発表しており、それぞれ独自の見解をもっている。
【０００４】
脂肪移植手術の際には、医師の手によって脂肪球を被移植領域に注入するが、個人の経験の差により、脂肪移植の生存率が低くなり、後遺症が残ることも少なくなく、医師達は有効な方法も対策も無く頭を悩ませている。一般的に、脂肪移植で起こりうる後遺症としては、例えば、吸収（ａｂｓｏｒｐｔｉｏｎ）、感染（ｉｎｆｅｃｔｉｏｎ）、塞栓（ｅｍｂｏｌｉｓｍ）、シスト形成（ｃｙｓｔ  ｆｏｒｍａｔｉｏｎ）、カルシウム沈着（ｃａｌｃｉｆｉｃａｔｉｏｎ）、骨化（ｏｓｓｉｆｉｃａｔｉｏｎ）、偽腫瘍（ｐｓｅｕｄｏｔｕｍｏｒ）形成、壊死（ｎｅｃｒｏｓｉｓ）、非対称性（ａｓｙｍｍｅｔｒｙ）、皮膚壊死／瘻孔形成（ｓｋｉｎ  ｎｅｃｒｏｓｉｓ／ｆｉｓｔｕｌａ  ｆｏｒｍａｔｉｏｎ）、医原性の神経／血管傷害（ｉａｔｒｏｇｅｎｉｃ  ｎｅｒｖｅ／ｖａｓｃｕｌａｒ  ｉｎｊｕｒｉｅｓ）、海綿静脈洞血栓（ｃａｒｖｅｎｏｕｓ  ｓｉｎｕｓ  ｔｈｒｏｍｂｏｓｉｓ）等があり、それらが発生する原因は、ほとんどが、脂肪移植手術の際の脂肪の不適切な（ｉｍｐｒｏｐｅｒ）、或いは、不均等な（ｕｎｅｖｅｎ）、或いは、過剰な（ｅｘｃｅｓｓ）配置（ｐｌａｃｅｍｅｎｔ）と直接関係がある。市場で販売されている補助機器の最小の注射量は、１／１０ミリリットル（ｃｃ）、或いは、１／２ミリリットル（ｃｃ）にしか達しておらず（例えば、Ｂｙｒｏｎ  Ｍｅｄｉｃａｌ社のＤＩＳＰＯＳ−Ａ−ＪＥＣＴＴＭ  ＳＹＳＴＥＭシリーズ）、中には、最小出力量が１ミリリットル（ｃｃ）にしか達していない機器もある。この種の脂肪移植手術は、最後の移植の手順において精密・正確でないことが原因で失敗し、上述したような多くの後遺症が生じることがある。このため、臨床上、どのようにして、適切・均等且つ精密に（ｐｒｅｃｉｓｅｌｙ）、脂肪を正確な位置に配置するかは、脂肪移植手術の技術の中で最も重要な課題となっている。
【０００５】
著名な整形外科医師Ｃｏｌｅｍａｎ  ＳＲが、２００６年の世界的に有名な整形再建雑誌ＰＲＳで発表した“Ｓｔｒｕｃｔｕｒａｌ  Ｆａｔ  Ｇｒａｆｔｉｎｇ”Ｍｏｒｅ  Ｔｈａｎ  ａ  Ｐｅｒｍａｎｅｎｔ  Ｆｉｌｌｅｒの中で、脂肪移植手術における脂肪の配置（Ｐｌａｃｅｍｅｎｔ）に関して、いくつかの注目すべき論点が述べられている。
１、一旦人体内に注射されると脂肪組織を再成型させることは難しいため、脂肪移植の時、配置される脂肪（ｐａｒｃｅｌ）の体積の精密性（ａｃｃｕｒａｃｙ）が極めて重要である。
２、顔の脂肪移植手術においては、注射針管（ｉｎｆｉｌｔｒａｔｉｏｎ  ｃａｎｎｕｌａ）を引いて脂肪を体内に注入する際、注入される脂肪の体積は、毎回わずか１／１０ミリリットル（ｃｃ）までに抑えなければならない。
３、ある特定の範囲、例えば、まぶた等においては、脂肪細胞が中心性壊死（ｃｅｎｔｒａｌ  ｎｅｃｒｏｓｉｓ）によって連鎖反応を起こし、各種合併症や後遺症が生じるのを防ぐために、最大の脂肪注入量は１／３０から１／５０ミリリットルに近づけなければならない。
【０００６】
しかしながら、臨床上、Ｃｏｌｅｍａｎ  ＳＲの提言に従って、一ミリリットル注射針筒を使用し医師の手の感覚と経験に頼って手術を行った場合、１／１０ミリリットルの脂肪を毎回正確に注入することは極めて困難である。もし、注入量を毎回均一で１／３０或いは１／５０ミリリットルに制御しようとした場合、それだけの精密性と正確度を人為的に実現するのは不可能である。優れた手術効果を得るため、Ｂｙｒｏｎ  Ｍｅｄｉｃａｌ社は、図１に示すような、ＤＩＳＰＯＳ−Ａ−ＪＥＣＴＴＭ  ＳＹＳＴＥＭを発売している。しかし、このシステムでは、１／１０ミリリットルの最小注入体積しか実現できず、明らかに、もっと小さい１／３０や１／５０ミリリットルといった要求を満たすことはできない。また、ＤＩＳＰＯＳ−Ａ−ＪＥＣＴＴＭ  ＳＹＳＴＥＭに連結される一ミリリットル針筒は、特殊で高価なＬｕｅｒ−Ｌｏｋ型の一ミリリットル注射針筒（１  ｃｃ  ＢＤ  Ｌｕｅｒ−Ｌｏｋ  Ｓｙｒｉｎｇｅ）であり、一般的な病院や診療所で常備されている汎用型の一ミリリットル注射針筒ではないため、使用上の利便性と普遍性が十分とはいえない。
【０００７】
また、ＤＩＳＰＯＳ−Ａ−ＪＥＣＴＴＭ  ＳＹＳＴＥＭを用いて脂肪移植手術を行った場合、図１に示すように、まず、注射針筒１のピストン（ｐｌｕｎｇｅｒ）１１を取り出して、さらにＳＹＳＴＥＭ自体のプッシュバー（ａｄａｐｔｅｒ）１２を注射針筒１内に挿入することで、脂肪を押しだすことができるが、操作の過程で脂肪は必然的に空気中に露出するため、脂肪細胞の感染と生存率の低下の可能性がある。しかも、前記ＳＹＳＴＥＭの本体面と、注射針管１３及び針管開口部１４の角度は固定されており、脂肪手術で使用する際、操作する医師は臨機応変に注射角度を調整することができず、注射面のずれを調整しにくかったり、注射しにくかったりする状況が生じる。
【０００８】
Ｃａｒｐａｎｅｄａが１９９３年に発表した理論によると、脂肪移植の際に、脂肪球体辺縁から約１．５±０．５ｍｍの辺縁帯（ｐｅｒｉｐｈｅｒａｌ  ｚｏｎｅ）内では、約６０％の組織の生存が観察される。そして、Ｃａｒｐａｎｅｄａは、１９９４年には、再度以下のように述べている。厚さ（ｔｈｉｃｋｎｅｓｓ）と幾何学形状（ｇｅｏｍｅｔｒｉｃａｌ  ｓｈａｐｅ）は、移植後の脂肪組織の生存成功の鍵となる。言い換えると、脂肪移植手術は、円球体（ｓｐｈｅｒｉｃａｌ  ｓｈａｐｅ）或いは円柱体（ｃｙｌｉｎｄｒｏｉｄ  ｓｈａｐｅ）のいずれの方式で脂肪を注入するにしても、高い生存率を得るためには、その半径を２ｍｍより小さくするのが最もよい。
【０００９】
Ｃａｒｐａｎｅｄａの理論に基づくと、１ｍｍを半径とした円球体の体積は（４／３）π（１）３であり、１．５ｍｍを半径とした円球体の体積は（４／３）π（１．５）  ３であり、２ｍｍを半径とした円球体の体積は（４／３）π（２）３である。
【００１０】
2011240130.tif 000003
【００１１】
このように、理想的な自己脂肪移植手術では、ミリリットル（ｃｃ）の脂肪を、最良の生存率を得るために、少なくとも３０回以上に分けて注射し、一層ずつ均等に分布させなければならない。
【００１２】
近年では、ある学者が、脂肪由来幹細胞（Ａｄｉｐｏｓｅ−Ｄｅｒｉｖｅｄ  Ｓｔｅｍ／Ｓｔｒｏｍａｌ  Ｃｅｌｌｓ）を併せて移植することで脂肪移植の高い生存率を実現する方法や、或いは、脂肪移植の前に栄養液或いは複数種類の成長因子（ｇｒｏｗｔｈ  ｆａｃｔｏｒ）が含まれた多血小板血漿（Ｐｌａｔｅｌｅｔ−Ｒｉｃｈ  Ｐｌａｓｍａ、ＰＲＰ）を添加することで脂肪の生存率を向上させる方法を発表している。しかしながら、これらの方法は、実際に注射する際に均一に混合（ｅｖｅｎ  ｍｉｘｔｕｒｅ）することができないという問題が生じ、添加物が均一に分布されないため最良の効果を得ることができない。
【００１３】
以上の説明をまとめると、手術の精密性、設備の気密性、操作の簡便性、コスト、最も重要である細かい出力量（即ち、毎回の出力量を１／３０から１／２４０ｃｃの間にする）、そして、幹細胞（ｓｔｅｍ  ｃｅｌｌ）等のその他の細胞や生物互換性医療材料や各種成長因子を併せて均一に注射すること、等の複数の要素を考慮すると、従来の技術から派生する多くの欠点を解決するために、新しい形態の脂肪移植装置を開発する必要がある。
【先行技術文献】
【非特許文献】
【００１４】
【非特許文献１】Ｃｏｌｅｍａｎ  ＳＲ、「“Ｓｔｒｕｃｔｕｒａｌ  Ｆａｔ  Ｇｒａｆｔｉｎｇ”Ｍｏｒｅ  Ｔｈａｎ  ａ  Ｐｅｒｍａｎｅｎｔ  Ｆｉｌｌｅｒ」、ＰＲＳ、２００６年
【発明の概要】
【発明が解決しようとする課題】
【００１５】
そこで、本発明は、同時に少なくとも二種類以上の内容物を含む混合剤を均等に注射することができ、しかも、前記内容物を空気にさらすことのない注射装置を提供することを目的とする。
【００１６】
また、本発明は、回転させることで簡単に注射方向を高精度に制御することが可能な注射装置を提供することを目的とする。
【００１７】
また、本発明は、大きいパワーをもち、製品の歩留まりが高い、組み立てが簡単、生産コストが低い、製品のメンテナンスが便利といった特性をもつ注射装置を提供することを目的とする。
【課題を解決するための手段】
【００１８】
上述の目的を達するために、本発明による注射装置は、銃型ケースと、針管方向制御メカニズムと、加圧プッシュメカニズムと、定量制御メカニズムとによって構成する。前記銃型ケースは、手で握って操作するための握り部を備える。前記針管方向制御メカニズムは、前記銃型ケースの前端に設けられるとともに、前方中空止め輪と、後方中空止め輪と、中空係合カバーと、回転部材と、押筒とによって構成する。その内、前記中空係合カバーは、前方中空止め輪と後方中空止め輪の間に配置されるとともに、少なくとも一つの球体を備え、前記回転部材は、前記中空係合カバーに被せて設けられ、前記押筒は、前記中空係合カバーと前記回転部材間の隙間に配置され、前記隙間の前端には第一バネが設けられる。前記加圧プッシュメカニズムは、銃型ケース内に設けられるとともに、引き金と、牽引部材と、前方位置決め部材と、後方位置決め部材と、押棒と、係止板と、取り外し部材と、押し板とによって構成する。その内、前記押棒は、前記前方位置決め部材と、前記牽引部材と、前記後方位置決め部材と、前記係止板とに順番に穿設され、押棒の後端は前記押し板の下端に固定される。前記引き金は、枢軸を介して銃型ケース内に枢設され、前記引き金の上端は前記牽引部材に枢設され、前記牽引部材と前記前方位置決め部材の間には第二バネが設けられる。前記牽引部材は前記後方位置決め部材に係止し、前記後方位置決め部材と前記係止板の間には第三バネが設けられ、前記係止板は、作用力が均衡した状態で傾斜して前記押棒に係止するとともに、前記第三バネと前記取り外し部材と第一固定柱に接触する。前記引き金は抑え部を備え、前記抑え部と前記押し板の上端は、前記銃型ケース外に露出する。前記定量制御メカニズムは、銃型ケース内に設けられるとともに、不規則凸ブロックと、凸ブロック位置決め部材と、投薬量つまみと、によって構成する。その内、前記投薬量つまみは、同時制御軸を介して前記不規則凸ブロックに枢設されるとともに、前記銃型ケース外に設けられ、前記不規則凸ブロックは、前記引き金と前記凸ブロック位置決め部材の間に設けられる。
【００１９】
本発明の目的を達するため、及び、従来の技術問題を解決するため、本発明は、以下の技術手段をさらに採用することができる。
【００２０】
前記銃型ケースは、左側ケースと、右側ケースとによって構成する。
【００２１】
前記回転部材の外表面には複数の溝部が設けられ、前記前方中空止め輪と前記後方中空止め輪との間には台座が設けられ、前記台座は、銃型ケースに固定されるとともに、少なくとも一つの球体を備え、前記球体は、対応する回転部材外表面の溝部に係止する。
【００２２】
前記針管方向制御メカニズムは中空構造の針管を備え、前記針管の前端には針管開口部が設けられ、前記針管の後端には、環状溝を備える連結ヘッドが設けられる。
【００２３】
前記針管方向制御メカニズムの後端には、針筒位置決めメカニズムが設けられる。前記針筒位置決めメカニズムは、銃型ケースに固定されるとともに、前記針管方向制御メカニズムの後端に接合され、少なくとも二つの針筒配置口を備える。少なくとも一つの針筒の開口は、前記針筒配置口内に接合され、前記押し板は前記針筒のピストンに当接する。
【００２４】
前記針管方向制御メカニズムの後端には位置決めリングが設けられ、前記位置決めリングは、針筒の注射方向を安定させるために銃型ケースに固定され、前記押し板は前記針筒のピストンに当接する。
【００２５】
前記取り外し部材は前記銃型ケースに可動に設けられるとともに、錐状部を備え、錐状部は前記係止板に接触する。
【００２６】
前記凸ブロック位置決め部材は、位置決めバネと第二固定柱に連結することにより、前記不規則凸ブロックの一辺縁に当接する。
【００２７】
前記引き金の枢軸にはリセットバネが設けられ、リセットバネの両端は、それぞれ、前記引き金と前記第二固定柱に係止する。
【００２８】
前記定量制御メカニズムの注射投薬量の制御精密度は、使用する針筒の最大容積の１／１０から１／３００である。
【発明の効果】
【００２９】
本発明は、以下の効果をもつ。
（１）同時に少なくとも二種類以上の内容物を含む混合剤を均等に注射することができ、しかも、前記内容物を空気にさらすことがない。このように、本発明は、均等注射及び高気密性の特性を備えている。
（２）回転させることで簡単に注射方向を高精度に制御することができる。このように、本発明は、操作の簡便性の効果を備えている。
（３）本発明は、引き金を引くと押棒も連動して移動する構造により大きいパワーをもち、また、製品の歩留まりが高い、組み立てが簡単、生産コストが低い、製品のメンテナンスが便利、といった利点を備えている。
【図面の簡単な説明】
【００３０】
【図１】従来の注射装置の構造部材を示した分解図である。
【図２】本発明の構成を示した説明図である。
【図３】本発明の針管方向制御メカニズムを示した部分断面図１である。
【図４】本発明の針管方向制御メカニズムを示した部分断面図２である。
【図５】本発明の定量制御メカニズムを示した部分断面図である。
【図６】本発明の実施例２の一部を示した斜視図である。
【図７】本発明の実施例２の一部を示した断面図である。
【図８】本発明の実施例３の一部を示した斜視図である。
【図９Ａ】本発明の押される前の取り外し構造を示した説明図である。
【図９Ｂ】本発明の押された後の取り外し構造を示した説明図である。
【発明を実施するための形態】
【００３１】
（実施例１）
図２に示すように、本発明による注射装置は、銃型ケース１００と、針管方向制御メカニズム２００と、加圧プッシュメカニズム３００と、定量制御メカニズム４００とによって構成する。銃型ケース１００は、手で握って操作するための握り部１１０を備え、銃型ケース１００は、左側ケース１２０と、右側ケース１３０とによって構成するのが好ましい。
【００３２】
図３を参照する。針管方向制御メカニズム２００は、銃型ケース１００の前端に設けられるとともに、前方中空止め輪２１０と、後方中空止め輪２２０と、中空係合カバー２３０と、回転部材２４０と、押筒２５０と、針管２６０とによって構成する。その内、中空係合カバー２３０は、前方中空止め輪２１０と後方中空止め輪２２０の間に配置されるとともに、少なくとも一つの球体２３１を備える。回転部材２４０は、中空係合カバー２３０に被せて設けられ、押筒２５０は、中空係合カバー２３０と回転部材２４０の間の隙間２７０に配置され、隙間２７０の前端には第一バネ２８０が設けられる。針管２６０は中空構造であり、針管２６０の前端は針管開口部２６１を備え、後端は連結ヘッド２６２を備え、連結ヘッド２６２は環状溝２６２１を備える。ここで、図４も併せて参照する。針管２６０を中空係合カバー２３０に接合させたい場合は、まず、押筒２５０を前方中空止め輪２１０の方向に押す。次に、針管２６０の連結ヘッド２６２を中空係合カバー２３０内に挿入させると、中空係合カバー２３０の球体２３１に対応する押筒２５０内縁には凹部２５１が設けられているため、中空係合カバー２３０の球体２３１は凹部２５１まで転がり、それにより、針管２６０の連結ヘッド２６２は中空係合カバー２３０内にスムーズに差し込まれる。その後、押筒２５０を放すと、押筒２５０は第一バネ２８０の弾力を受けて元の位置に戻る。この時、中空係合カバー２３０の球体２３１は、押筒２５０内の表面２５２と針管２６０の連結ヘッド２６２の環状溝２６２１の間に係止し、それにより、針管２６０の連結ヘッド２６２は、中空係合カバー２３０内に安定して係合される。なお、連結ヘッド２６２の外表面と中空係合カバー２３０の内表面はいずれも真円でないのが好ましい。それにより、使用者が回転部材２４０を回転させた時、同時に中空係合カバー２３０を回転させることができるとともに、針管開口部２６１の方向を制御して注射角度を調整することができる。また、回転部材２４０の外表面には複数の溝部２４１が設けられ、前方中空止め輪２１０と後方中空止め輪２２０の間には台座２９０が設けられ、台座２９０は、銃型ケース１００に固定されるとともに、少なくとも一つの球体２９１を備えるのが好ましい。回転部材２４０を回転させた時、台座２９０の球体２９１は、対応する回転部材２４０の外表面の溝部２４１に係止し、それにより、針管開口部２６１の注射方向を更に安定して制御することができる。以上の構造により、使用者は、必要に応じて、回転部材２４０を回転させることで針管開口部２６１の注射方向を調整・制御することができる。また、回転部材２４０の外表面には、使用者が針管開口部２６１の位置を識別しやすいように、東（Ｅ）、西（Ｗ）、南（Ｓ）、北（Ｎ）等の方向符合が明示されるのが好ましい。
【００３３】
再び図２を参照する。加圧プッシュメカニズム３００は、銃型ケース１００内に設けられるとともに、引き金３１０と、牽引部材３２０と、前方位置決め部材３３０と、後方位置決め部材３４０と、押棒３５０と、係止板３６０と、取り外し部材３７０と、押し板３８０とによって構成する。その内、押棒３５０は、前方位置決め部材３３０と、牽引部材３２０と、後方位置決め部材３４０と、係止板３６０とに順番に穿設され、押棒３５０の後端は押し板３８０の下端に連結される。引き金３１０は、枢軸３１１を介して銃型ケース１００内に枢設されるとともに、引き金３１０の上端は、牽引部材３２０に枢設され、牽引部材３２０と前方位置決め部材３３０の間には第二バネ３３１が設けられるとともに、牽引部材３２０は後方位置決め部材３４０に当接し、後方位置決め部材３４０と係止板３６０の間には第三バネ３４１が設けられ、係止板３６０は、作用力が均衡した状態で傾斜して押棒３５０に係止するとともに、第三バネ３４１と取り外し部材３７０と第一固定柱３９０に接触する。その内、引き金３１０は、抑え部３１２を備え、抑え部３１２と押し板３８０の上端は、銃型ケース１００の外に露出する。その内、引き金３１０の枢軸３１１にはリセットバネ３１３が設けられ、その両端は、それぞれ引き金３１０と第二固定柱４６０に係止し、使用者が引き金３１０の抑え部３１２を引いた後、引き金３１０はリセットバネ３１３の弾力によって元の位置に戻る。
【００３４】
図５と図８を参照する。定量制御メカニズム４００は、銃型ケース１００内に設けられるとともに、不規則凸ブロック４１０と、凸ブロック位置決め部材４２０と、投薬量つまみ４３０とによって構成する。その内、投薬量つまみ４３０は、同時制御軸４４０を介して不規則凸ブロック４１０に枢設されるとともに銃型ケース１００外に設けられる。また、不規則凸ブロック４１０は、引き金３１０と凸ブロック位置決め部材４２０の間に設けられる。その内、凸ブロック位置決め部材４２０は、位置決めバネ４５０と第二固定柱４６０に連結することにより、不規則凸ブロック４１０の一辺縁に当接する。不規則凸ブロック４１０の任意の一辺縁は、いずれも、その枢軸中心の半径方向の距離と異なるため、引き金３１０を引ける距離を制限することができ、それにより、注射の投薬量を制御する効果を達成することができる。定量制御メカニズム４００の注射投薬量の制御精密度は、使用する針筒６００の最大容積の１／１０から１／３００までであり、針筒６００の内容物は、脂肪組織、ヒアルロン酸、コラーゲン、ボツリヌス菌毒素、及び、各種流動或いは半流動性藥物の内の少なくとも一種類、或いは、それらの任意の組み合わせである。また、制御軸４４０と投薬量つまみ４３０の間の結合方法は、正円ではない孔軸、シャフト、ピン、轂等を用いた、シンクロ作動が可能な任意の結合方式である。
【００３５】
（実施例２、実施例３）
実施例２では、図６に示すように、針管方向制御メカニズム２００の後端には、針筒位置決めメカニズム５００が接合され、針筒位置決めメカニズム５００は、銃型ケース１００に固定されるとともに、少なくとも二つの針筒配置口５１０を備え、少なくとも一つの針筒６００の開口６０１は、針筒配置口５１０内に接合され、押し板３８０は、針筒６００のピストン６１０に当接する。また、図７に示すように、針筒配置口５１０は、針管２６０の連結ヘッド２６２に当接する少なくとも一つの流道５１１を備え、針筒６００の内容物は、針筒６００の開口６０１から流道５１１を通過し、さらに針管２６０の針管開口部２６１から外にでる。図８に示すように、実施例３においては、針管方向制御メカニズム２００の後端に位置決めリング５２０が設けられ、位置決めリング５２０は、銃型ケース１００に固定され、それによって針筒６００の注射方向を安定させることができる。針筒６００の開口６０１は連結ヘッド２６２に当接し、押し板３８０は針筒６００のピストン６１０に当接し、針筒６００の内容物は、針筒６００の開口６０１を通過して針管２６０の針管開口部２６１から外に出される。
【００３６】
次に、図８、図９Ａ、図９Ｂを参照する。取り外し部材３７０は、銃型ケース１００に可動に設けられるとともに、係止板３６０に接触する錐状部３７１を備える。好ましくは、取り外し部材３７０内には第四バネ３７２が設けられ、使用者が取り外し部材３７０の外端３７３を押した時、係止板３６０は、取り外し部材３７０の錐状部３７１の外縁に沿って傾斜角度が変わり、それにより、係止板３６０は押棒３５０から外れ、それにより、押棒３５０を引っ張り出すことで、別の針筒６００に交換することができる。
【００３７】
以上をまとめると、本発明は、銃型ケースと、針管方向制御メカニズムと、加圧プッシュメカニズムと、定量制御メカニズムと、針筒位置決めメカニズム或いは位置決めリングとによって構成し、以下のような特性をもつ。
（１）同時に少なくとも二種類以上の内容物を含む混合剤を均等に注射することができ、しかも、前記内容物を空気にさらすことがない。このように、本発明は、均等注射及び高気密性の特性を備えている。
（２）回転させることで簡単に注射方向を高精度に制御することができる。このように、本発明は、操作の簡便性の効果を備えている。
（３）本発明は、引き金を引くと押棒も連動して移動する構造により大きいパワーをもち、また、製品の歩留まりが高い、組み立てが簡単、生産コストが低い、製品のメンテナンスが便利、といった利点を備えている。
従って、本発明の効果は一般の注射装置と異なり、本発明は、類似の製品の中で独創的で新しい特徴を備えている。
【００３８】
以上に述べた内容は、本発明の好ましい実施形態についての説明にすぎず、本発明の明細書、請求項、図を基に行った同じ効果をもつ構造の変更等は、いずれも本発明の請求項の範囲内に含まれるものとする。
【符号の説明】
【００３９】
１      注射針筒
１１        ピストン
１２        プッシュバー
１３        注射針管
１４        針管開口部
１００  銃型ケース
１１０  握り部
１２０  左側ケース
１３０  右側ケース
２００  針管方向制御メカニズム
２１０  前方中空止め輪
２２０  後方中空止め輪
２３０  中空係合カバー
２３１  球体
２４０  回転部材
２４１  溝部
２５０  押筒
２５１  凹部
２５２  内表面
２６０  針管
２６１  針管開口部
２６２  連結ヘッド
２６２１    環状溝
２７０  隙間
２８０  第一バネ
２９０  台座
２９１  球体
３００  加圧プッシュメカニズム
３１０  引き金
３１１  枢軸
３１２  抑え部
３１３  リセットバネ
３２０  牽引部材
３３０  前方位置決め部材
３３１  第二バネ
３４０  後方位置決め部材
３４１  第三バネ
３５０  押棒
３６０  係止板
３７０  取り外し部材
３７１  錐状部
３７２  第四バネ
３７３  外端
３８０  押し板
３９０  第一固定柱
４００  定量制御メカニズム
４１０  不規則凸ブロック
４２０  凸ブロック位置決め部材
４３０  投薬量つまみ
４４０  同時制御軸
４５０  位置決めバネ
４６０  第二固定柱
５００  針筒位置決めメカニズム
５１０  針筒配置口
５１１  流道
５２０  位置決めリング
６００  針筒
６０１  開口
６１０  ピストン
【図１】
2011240130.tif 000004
【図２】
2011240130.tif 000005
【図３】
2011240130.tif 000006
【図４】
2011240130.tif 000007
【図５】
2011240130.tif 000008
【図６】
2011240130.tif 000009
【図７】
2011240130.tif 000010
【図８】
2011240130.tif 000011
【図９Ａ】
2011240130.tif 000012
【図９Ｂ】
2011240130.tif 000013